(57)【要約】      （修正有）【課題】シート体を把持させることができる鞄であって、置いた時に鞄としての形状が保たれ、かつ、シート体を把持させない場合の鞄単体として自然に見せる外観を有するものを提供すること。【解決手段】鞄１は、鞄本体及び持ち手４を備えている。鞄本体は、側面部２及び底面部３を有する。側面部２は、皮革製であり、底面部３が床に接するように鞄１を置いた時に重力によって変形して底面部３に接してしまうことのない（若干の変形はするものの形状をおおよそ保つ）形状維持性を有する。底面部３は、支え材を入れて構成された平面形状のものである。なお、底面部３に地面等の汚れが付着しないように４の突起を設けてもよい。持ち手４には、リングであるシート貫入具５及び帯状体であるシート貫入具６が設けられている。側面部２には、帯状体であるシート貫入具６が設けられている。【選択図】図１
0003189581.tif 000002
【実用新案登録請求の範囲】
【請求項１】
物を収容するための鞄本体を備える鞄であって、
シート体を係止するための係止具を、２以上備え、
前記鞄本体は、鞄を静置させるための底面部を有することを特徴とする、鞄。
【請求項２】
前記鞄本体の前記底面部以外の箇所は、形状維持性を有することを特徴とする、請求項１に記載の鞄。
【請求項３】
前記係止具は、２以上のシート貫入具を並設したものであることを特徴とする、請求項１又は２に記載の鞄。
【請求項４】
前記シート貫入具は、形状維持性を有するリングであることを特徴とする、請求項３に記載の鞄。
【請求項５】
前記リングは、硬性であることを特徴とする、請求項４に記載の鞄。
【請求項６】
前記鞄本体の前記底面部に対向する箇所に設けられた持ち手を備え、
前記係止具が前記持ち手に付されていることを特徴とする、請求項４又は５に記載の鞄。
【請求項７】
前記鞄本体に２箇所で接合する前記持ち手を２つ備え、
４の前記係止具が前記接合する箇所の近傍に１ずつ備えられていることを特徴とする、請求項６に記載の鞄。
【請求項８】
前記リングが前記持ち手に着脱可能であり、
前記持ち手の各々は４以上の前記リングを装着可能な部分を有することを特徴とする、請求項７に記載の鞄。
【請求項９】
前記シート貫入具は、前記鞄本体に設けられた帯状体であることを特徴とする、請求項３に記載の鞄。
【請求項１０】
前記帯状体は、鞄本体に平行に設けられた２のスリットに挟まれた鞄本体の一部であることを特徴とする、請求項９に記載の鞄。
【請求項１１】
平行に設けられた３のスリットにより、２の前記帯状体が構成されることを特徴とする、請求項１０に記載の鞄。
【請求項１２】
４の前記係止具が備えられていることを特徴とする、請求項１０又は１１に記載の鞄。
【請求項１３】
長方形状のシート体と、請求項７又は１２に記載の鞄とを備え、
前記鞄の４の前記係止具に前記シート体の頂点近傍を係止した場合において、前記シート体が前記鞄の鞄本体を被覆することを特徴とする、シート体と鞄のセット。
【請求項１４】
前記シート体が、正方形状であることを特徴とする、請求項１３に記載のシート体と鞄のセット。
【請求項１５】
前記シート体が、風呂敷であることを特徴とする、請求項１４に記載のシート体と鞄のセット。
【考案の詳細な説明】
【技術分野】
【０００１】
本考案は、シート体を着脱可能な鞄、及びシート体と鞄のセットに関する。
【背景技術】
【０００２】
鞄は、ファッションの一要素であり、衣服と合わせてコーディネートする等、外観をＴＰＯに合わせて選択することが望まれる。この点、特許文献１には、挟持リング及び鞄本体上部の開口部に、（選択された）スカーフ、風呂敷等を把持させて鞄本体を被覆する鞄が開示されている。
【０００３】
しかし、特許文献１に開示された鞄は、以下の点においてファッション的に不十分であった。（１）スカーフ、風呂敷等を把持させない時には開口部が露出してしまい、鞄としての外観が不自然である。（２）スカーフ、風呂敷等を把持させた場合においても、比較的大きな挟持リングが側方に突出してしまい、鞄としての外観が必ずしも自然ではない。
【０００４】
一方、特許文献２及び３には、方形のスカーフ、風呂敷等を袋状に把持して鞄のように用いることのできる持ち手が開示されている。これらの持ち手においては、外観を損なうような部材は使用されていない。
【０００５】
しかし、特許文献２及び３に開示された持ち手と例えば風呂敷によって構成される袋状物は、風呂敷が柔らかいため、床等に置くと鞄としての形状が保たれなず、内容物が必ずしも袋内に残らない。床等に置くことが制約されてしまい、実用性に乏しい。
【０００６】
また、特許文献４には、スカーフ、手袋等をアクセサリとして鞄に付することのできる器具が開示されている。形状維持性を有する鞄にアクセサリを付することで、上記の問題はない。
【０００７】
しかし、特許文献４には、スカーフ、風呂敷等によって鞄本体を被覆することは開示されていない。被覆するためには複数の器具を必要とするため、外観を損なってしまうおそれがあるものである。
【０００８】
以上のとおり、ＴＰＯに合わせて選択されたスカーフ、風呂敷等のシート体を把持させることができる鞄であって、床等に置いた時に鞄としての形状が保たれ、かつ、シート体を把持させない場合の鞄単体として自然に見せる外観を有するものは、知られていなかった。
【先行技術文献】
【特許文献】
【０００９】
【特許文献１】実用新案登録第３１８０４４５号公報
【特許文献２】特開２００８−１１０１９６号公報
【特許文献３】実用新案登録第３１７５８３０号公報
【特許文献４】実用新案登録第３０３１８７７号公報
【考案の概要】
【考案が解決しようとする課題】
【００１０】
本考案は、シート体を把持させることができる鞄であって、置いた時に鞄としての形状が保たれ、かつ、シート体を把持させない場合の鞄単体として自然に見せる外観を有するものを提供することを課題とする。
【課題を解決するための手段】
【００１１】
本考案の鞄は、
物を収容するための鞄本体を備える鞄であって、
シート体を係止するための係止具を、２以上備え、
前記鞄本体は、鞄を静置させるための底面部を有することを特徴とする。
【００１２】
シート体が２以上の係止具によって係止され、鞄本体を被覆することができる。
鞄本体は底面部によって、床等に静置される。
ここで「シート体」とは、自身の受ける重力又はそれよりも小さな力で湾曲し、折曲するシート状の物体を言う。風呂敷、スカーフ等の布製のもののほか、紙製、ビニール製のものも「シート体」となり得る。
また「底面部」とは、鞄本体の下方で鞄本体を平面に対して静置させる部分を言う。１つの平面である底面のほか、多くの手提げ鞄に付されている先端が１つの平面上に位置する４つの突起も「底面部」となる。
【００１３】
本考案の鞄は、
前記鞄本体の前記底面部以外の箇所は、形状維持性を有することを特徴とする。
【００１４】
鞄本体を床面等に置いた時、鞄としての形状を保つものである。
ここで「形状維持性」とは、自身の受ける重力によって変形（湾曲）して下面（底面部）に接するまでの移動をしてしまわない程度の剛性を言う。金属、プラスチック等の硬性物のほか、皮革、硬性物で補強された布等も「形状維持性」を有する。
【００１５】
本考案の鞄は、
前記係止具は、２以上のシート貫入具を並設したものであることを特徴とする。
【００１６】
「シート貫入具」はシート体を折り曲げて貫入させることのできる部材である。鞄本体又はその他の鞄の部分に付されたリングや紐が「シート貫入具」となる。また、鞄本体又はその他の鞄の部分の表面に２以上の切れ目を設けた場合に、その切れ目の間の部分が「シート貫入具」となる。
シート体を折り曲げて、並設された２のシート貫入具の両方の内側に貫入させ、一方のシート貫入具の外側を通過させ、他方のシート貫入具の両方の内側に貫入させる。これにより、シート体が固定される。
【００１７】
本考案の鞄は、
前記シート貫入具は、形状維持性を有するリングであることを特徴とする。
【００１８】
リングによってシート貫入具を構成する。この際、リングが、自身の受ける重力によって変形しない程度の剛性（形状維持性）を有することが好ましい。形状維持性を有しないもの、例えば輪ゴムや紐糸は、外観が必ずしも好ましくないからである。
【００１９】
本考案の鞄は、
前記リングは、硬性であることを特徴とする。
【００２０】
金属製、プラスチック製、その他の硬性のリングを用いる。
【００２１】
本考案の鞄は、
前記鞄本体の前記底面部に対向する箇所に設けられた持ち手を備え、
前記係止具が前記持ち手に付されていることを特徴とする。
【００２２】
係止具を持ち手に付すことにより、係止具が鞄本体の上方に位置する。係止具に固定されたシート体によって鞄本体全体を被覆することができる。
【００２３】
本考案の鞄は、
前記鞄本体に２箇所で接合する前記持ち手を２つ備え、
４の前記係止具が前記接合する箇所の近傍に１ずつ備えられていることを特徴とする。
【００２４】
２つの持ち手の両端の４箇所に係止具を設ける。４の係止具によって、方形上のシート体の四隅を固定することができる。シート体を袋状に固定するものである。
【００２５】
本考案の鞄は、
前記リングが前記持ち手に着脱可能であり、
前記持ち手の各々は４以上の前記リングを装着可能な部分を有することを特徴とする。
【００２６】
リングは持ち手と別の部材であり、各種方法によって着脱可能とできる。持ち手の各々に２つの係止具を設けるため、少なくとも４のリングを装着可能とする。リングを装着可能な部分を４よりも多く設ける（リングの数よりも多く設ける）ことで、ユーザはリングを装着する位置を替えることができ、シート体を固定した際のデザインを替えることができる。
【００２７】
本考案の鞄は、
前記シート貫入具は、前記鞄本体に設けられた帯状体であることを特徴とする。
【００２８】
帯状体をシート貫入具として活用する。
【００２９】
本考案の鞄は、
前記帯状体は、鞄本体に平行に設けられた２のスリットに挟まれた鞄本体の一部であることを特徴とする。
【００３０】
２のスリットを構成し、これらに挟まれた部分を帯状体とすることができる。
【００３１】
本考案の鞄は、
平行に設けられた３のスリットにより、２の前記帯状体が構成されることを特徴とする。
【００３２】
係止具は、２のシート貫入具を用いる。３のスリットにより２の帯状体（シート貫入具）を構成し、簡素な構造で係止具を実現する。
【００３３】
本考案の鞄は、
４の前記係止具が備えられていることを特徴とする。
【００３４】
上述のとおり、４の係止具によってシート体を袋状に固定するものである
【００３５】
本考案のシート体と鞄のセットは、
長方形状のシート体と、４の前記係止具が備えられた鞄とを備え、
前記鞄の４の前記係止具に前記シート体の頂点近傍を係止した場合において、前記シート体が前記鞄の鞄本体を被覆することを特徴とする。
【００３６】
４の係止具によって袋状に固定されるシート体を鞄と合わせる。鞄とシート体のサイズを合わせることで、シート体が鞄に密着して被覆する。
【００３７】
本考案のシート体と鞄のセットは、
前記シート体が、正方形状であることを特徴とする。
【００３８】
風呂敷等、正方形状のシート体が広く用いられている。これらを活用する。
【００３９】
本考案のシート体と鞄のセットは、
前記シート体が、風呂敷であることを特徴とする。
【００４０】
風呂敷は、多様なデザインのものがあり、本考案に適している。
【考案の効果】
【００４１】
本考案の鞄によれば、シート体を把持させることができる鞄であって、置いた時に鞄としての形状が保たれ、かつ、シート体を把持させない場合の鞄単体として自然に見せる外観を有するものを提供することができる。
本考案のシート体と鞄のセットによれば、かかる鞄にサイズを合わせたシート体を合わせて提供することができる。
【図面の簡単な説明】
【００４２】
【図１】図１は、鞄を示す図である。
【図２】図２は、シート貫入具（リング）のバリエーションを示す図である。
【図３】図３は、シート貫入具（帯状体）のバリエーションを示す図である。
【図４】図４は、シート体の係止手順を示す図である。
【図５】図５は、鞄本体とシート体のサイズを示す図である。
【図６】図６は、使用例を示す図である。
【考案を実施するための形態】
【００４３】
以下、本考案の実施例について図１〜６を用いて説明する。
【００４４】
図１は、鞄を示す図である。鞄１は、鞄本体及び持ち手４を備えている。鞄本体は、側面部２及び底面部３を有する。側面部２は、皮革製であり、底面部３が床に接するように鞄１を置いた時に重力によって変形して底面部３に接してしまうことのない（若干の変形はするものの形状をおおよそ保つ）形状維持性を有する。底面部３は、支え材を入れて構成された平面形状のものである。なお、底面部３に地面等の汚れが付着しないように４の突起を設けてもよい。
【００４５】
持ち手４には、リングであるシート貫入具５及び帯状体であるシート貫入具６が設けられている。側面部２には、帯状体であるシート貫入具６が設けられている。
図では、持ち手４と鞄本体の側面部２とを合わせて６つのシート貫入具５（６）が示されているが、２つのシート貫入具５（６）によって係止具として作用するので、２つ以上のシート貫入具５（６）を有すればよい。リング５のみであっても、帯状体６のみであってもよい。また、持ち手４と側面部２とのいずれか一方のみにシート貫入具５（６）を設けてもよい。なお、図示していないが、側面部２にリング５を設けることもできる。
２つの持ち手４の両端に、全部で４つの係止具が設けられている。
【００４６】
図２は、シート貫入具（リング）のバリエーションを示す図である。（Ａ）に示すように、リング５の内縁の一部が持ち手４に接するように、リング５を持ち手４に付することができる。この場合、リング５を保持する保持具４１を持ち手４に備えることが好ましい。保持具４１を面ファスナ等によって持ち手４に着脱すれば、リング５が持ち手４に着脱可能となる。リング５の数よりも多くの保持具４１を持ち手４に設けることで、ユーザはリングを装着する位置を替えることができるようになり、シート体を固定した際のデザインを替えることができるようになる。
また、（Ｂ）に示すように、リング５の外縁の一部が持ち手４に接するようにすることもできる。
【００４７】
（Ｃ）に示すように、リング５を持ち手４に貫入させてもよい。リング５は、（Ｃ）に示すＯ字状のほか、（Ｄ）に示すＣ字状とすることもできる。（Ｄ）に示すＣ字状であれば、リング５の弾性によってリング５を持ち手４に着脱可能とすることができる。
【００４８】
（Ｅ）に示すように、リング５を持ち手４の周縁に配してもよい。この場合、リング５が持ち手４に対して固定されずに移動するが、シート体を貫入した際に固定される。
【００４９】
図３は、シート貫入具（帯状体）のバリエーションを示す図である。（Ａ）及び（Ｂ）は、帯状体６を正面（鞄の側面側）から見た図である。（Ａ）に示すとおり、皮革製の側面部２（又は持ち手４）にスリット６１が設けられ、２本のスリット６１の間が帯状体６としてシート係止具を構成する。
スリット６１の形状は、（Ａ）に示す細長の長方形でなくともよい。例えば（Ｂ）に示すように円形でもよく、その他任意の形状とすることができる。
【００５０】
（Ｃ）及び（Ｄ）は、（Ａ）におけるＣ線断面図である。（Ｃ）に示すとおり、シート体７（点線で示す。）を、スリット６１を介して帯状体６の裏側（図の右側）に貫入することができる。
また、（Ｄ）に示すように、スリット６１を側面部２（又は持ち手４）の厚さ全体でなく中間までの深さとしてもよい。この場合、シート体７を、スリット６１を介して帯状体６と側面部２（又は持ち手４）との間に貫入することができる。
【００５１】
図４は、シート体の係止手順を示す図である。以下、持ち手４に付されたリング５にシート体７を係止するものとして説明するが、帯状体６にシート体７を係止する場合及びリング５又は帯状体６が側面部２に付された場合についても同様である。
（Ａ）に示すように、持ち手４に２つのリング５ａ及び５ｂが付されている。
【００５２】
（Ｂ）に示すように、２つのリング５ａ及び５ｂにシート体７を貫入する。その後、（Ｃ）に示すようにリング５ｂの外側にシート体７を回し、（Ｄ）に示すようにリング５ａにシート体７を貫入する。以上の手順によってシート体７が係止具（リング５、持ち手４）に係止される。
【００５３】
図５は、鞄本体とシート体のサイズを示す図である。以下、係止具に係止されたシート体７が鞄本体（側面部２及び底面部３）を被覆する仕組みを説明する。
【００５４】
（Ａ）は、鞄本体を上方から見た図である。図に黒丸で示す４箇所に係止具（リング５又は帯状体６を含む）が設けられている。以下、各々の係止具を符号ｐ、ｑ、ｒ及びｓで示す。４つの係止具に方形のシート体７の四隅を係止する。
【００５５】
（Ｄ）にシート体７を示す。シート体７の四隅を係止具に挿入するため、係止具ｐ、ｑ、ｒ及びｓに接する位置は点線で示すようにシート体７の内部の長方形の頂点となる。該長方形の一辺（ｐｑ、ｒｓ）の長さをＸ、該辺と直交する辺（ｑｒ、ｓｐ）の長さをＹとする。シート体７が鞄本体を被覆するためには、以下の条件を充足する必要がある。（１）Ｘ＞Ｌ１、（２）Ｙ＞Ｌ２、（３）Ｙ＞Ｌ３（鞄本体を側方から見た図（Ｂ）を参照）、（４）Ｙ＞Ｌ２、（３）Ｘ＞Ｌ４（鞄本体を正面から見た図（Ｃ）を参照）。
【００５６】
Ｌ１＜Ｌ４であることは自明であり、鞄本体の形状に依存するが通常はＬ２＜Ｌ３であると考えられるので、Ｘ＞Ｌ４かつＹ＞Ｌ３であればシート体７が鞄本体を被覆する。また、鞄本体の形状に依存するが通常はＬ３＜Ｌ４であると考えられるので、Ｘが長辺、Ｙが短辺の長さである。
【００５７】
すなわち、矩形状のシート体７の周縁の係止に必要な部分を除いた長方形について、その長辺の長さをＸ、短辺の長さをＹとするとき、Ｘ＞Ｌ４かつＹ＞Ｌ３であればシート体７が鞄本体を被覆する。かかる大きさのシート体７を鞄１とのセットとして用いることが好ましい。
なお、シート体７の周縁の係止に必要な部分については、係止具の形状及び位置に依存して設計すればよい。Ｘ及びＹを、例えばシート体７の長辺及び短辺に対して５ｃｍ短いとする、１０ｃｍ短いとする、２０ｃｍ短いとする、その他任意の設計が可能である。
【００５８】
図６は、使用例を示す図である。いずれもシート体として風呂敷を用いたものである。（Ａ）は、シンプルに風呂敷を鞄に係止したものである。（Ｂ）は、風呂敷の四隅を花状に結んだものである。（Ｃ）は、風呂敷の端で、持ち手までを風呂敷で覆ったものである。
かかる使用形態のデザインのバリエーションと、風呂敷のデザインのバリエーションとによって、多彩なデザインを活用して楽しむことができる。
【産業上の利用可能性】
【００５９】
シート体を把持させることができる鞄であって、置いた時に鞄としての形状が保たれ、かつ、シート体を把持させない場合の鞄単体として自然に見せる外観を有するものであり、多くの個人、特に女性による利用が考えられる。
【符号の説明】
【００６０】
１…鞄
２…鞄本体（側面部）
３…鞄本体（底面部）
４…持ち手
５…シート貫入具（リング）
６…シート貫入具（帯状体）
７…シート体
【図１】
0003189581.tif 000003
【図２】
0003189581.tif 000004
【図３】
0003189581.tif 000005
【図４】
0003189581.tif 000006
【図５】
0003189581.tif 000007
【図６】
0003189581.tif 000008